(57)【要約】【課題】屋根の棟に充填し、盛り上げる屋根土の量を少量化し、屋根の棟部分の軽量化を図ると共に、棟瓦工事の簡易化を図ることが出来るようにする。【解決手段】屋根の棟用カバーは、屋根の棟に沿ってかんむり瓦２０を含む瓦類を葺いて構築される棟瓦葺の下側の屋根の棟部を覆うカバーである。その中央から両側にかけて下方に湾曲した板状の単一断面形状を有する長尺な樹脂成形体からなる棟カバー５からなり、この棟カバー５の両側から下方に向けてかんむり瓦２０の下側に葺く桟瓦１７、１７に載せる側板部７、７を有し、さらに棟カバー５の下面から下方に向けて邪魔板状の屋根土留め７、７、８、８を垂下させている。【選択図】図４
2008285866.tif 000002
【特許請求の範囲】
【請求項１】
屋根の棟に沿ってかんむり瓦（２０）を含む瓦類を葺いて構築される棟瓦の下側の屋根の棟部を覆う屋根の棟用カバーであって、中央から両側にかけて下方に湾曲した板状の単一断面形状を有する長尺な樹脂成形体からなる棟カバー（５）からなり、この棟カバー（５）の両側から下方に向けてかんむり瓦（２０）の下側に葺く桟瓦（１７）、（１７）に載せる側板部（７）、（７）を有し、さらに棟カバー（５）の下面から下方に向けて邪魔板状の屋根土留め（７）、（７）、（８）、（８）を垂下させたことを特徴とする屋根の棟用カバー。
【請求項２】
屋根の棟に沿って葺かれるかんむり瓦（２０）を含む瓦類を葺いて構築される屋根の棟瓦構造であって、屋根の棟の両側に葺かれる桟瓦（１７）、（１７）の間に粘土状の屋根土（１９）を充填し、この棟の上に前記請求項１に記載の屋根の棟カバー（５）を載せてその屋根土留め（７）、（７）、（８）、（８）の間に屋根土（１９）を閉じこめ、この屋根の棟カバー（５）の上にかんむり瓦（２０）を含む瓦類を葺いたことを特徴とする屋根の棟瓦構造。
【発明の詳細な説明】
【技術分野】
【０００１】
本発明は、屋根の棟の両側に葺かれる桟瓦の間に粘土状の屋根土を充填し、その上にかんむり瓦を含む瓦類を葺いて固定する屋根の棟瓦施工方式に使用される屋根の棟用カバーとそれを使用して屋根の棟にかんむり瓦を含む瓦類をを葺いた屋根の棟瓦構造に関する。
【背景技術】
【０００２】
従来において、屋根の棟部に棟瓦を葺く場合、例えば特開平１１−１８１９６５号公報に記載されたように、屋根の棟の両側に葺かれる桟瓦に粘土状の屋根土を充填し、さらにのし瓦を使用する場合は、棟の両側ののし瓦の間にも屋根土を充填し、その上にかんむり瓦を載せて棟に沿って継ぎ合わせていく。なお、最近の特に都市部の家屋では旧来の日本家屋のように、のし瓦を積み上げるような高い棟瓦は好まれない傾向にあり、桟瓦の上にのし瓦を積み上げずに直接かんむり瓦を葺く施工が多くなされている。この場合は、屋根土は棟の両側の桟瓦の間に充填し、さらにその上に盛り上げ、この屋根土の上にかんむり瓦を葺く。
【０００３】
このような従来の屋根の棟構造では、多量の屋根土を使用するため、棟瓦の施工に手数がかかる。また、多量の屋根土を使用することで、屋根瓦の施工時に、屋根土を屋根に運び上げるのに多大な労力を必要とする。さらに、多量の屋根土を設けることで屋根の棟部分の重量が大きくなり、屋根全体の重量の増大を招き、家屋の躯体の荷重負担も大きい。そのため、地震等の際に家屋の躯体が屋根の重量に耐えきれず、家屋の倒壊の原因ともなる。
【特許文献１】特開平１１−１８１９６５号公報
【特許文献６】特開平１１−８１５６１号公報
【発明の開示】
【発明が解決しようとする課題】
【０００４】
本発明では、前記従来の屋根の棟構造における課題に鑑み、屋根の棟に充填し、盛り上げる屋根土の量を少量化し、屋根の棟部分の軽量化を図ると共に、棟瓦工事の簡易化を図ることが出来る屋根の棟用カバーとそれを使用した屋根の棟瓦構造を提供することを目的とする。
【課題を解決するための手段】
【０００５】
本発明では、前記の目的を達成するため、屋根の棟に沿って葺かれる棟瓦２０の下側の屋根の棟部を覆う屋根の棟用カバーを使用し、屋根の棟用カバーの棟カバー５の両側から下方に向けて垂下した邪魔板状の屋根土留め７、７、８、８の間に屋根の棟の両側に葺かれる桟瓦１７、１７の間に充填された粘土状の屋根土１９を閉じこめ、この屋根の棟部用カバーの上にかんむり瓦２０を葺いた。
【０００６】
すなわち、本発明による屋根の棟用カバーは、屋根の棟に沿ってかんむり瓦２０を含む瓦類を葺いて構築される棟瓦葺の下側の屋根の棟部を覆うカバーであって、中央から両側にかけて下方に湾曲した板状の単一断面形状を有する長尺な樹脂成形体からなる棟カバー５からなり、この棟カバー５の両側から下方に向けてかんむり瓦２０の下側に葺く桟瓦１７、１７に載せる側板部７、７を有し、さらに棟カバー５の下面から下方に向けて邪魔板状の屋根土留め７、７、８、８を垂下させたものである。
【０００７】
さらに、屋根の棟用カバーを使用した屋根の棟瓦構造は、屋根の棟に沿ってかんむり瓦２０を含む瓦類を葺いて構築されるものであり、屋根の棟の両側に葺かれる桟瓦１７、１７の間に粘土状の屋根土１９を充填し、この棟の上に前記の屋根の棟カバー５を載せてその屋根土留め７、７、８、８の間に屋根土１９を閉じこめ、この屋根の棟カバー５の上にかんむり瓦２０を含む瓦類を葺いたものである。
【０００８】
このような本発明による屋根の棟用カバーとそれを使用した屋根の棟瓦構造では、屋根の棟の上に載せる棟カバー５の屋根土留め７、７、８、８の間に屋根土１９を閉じこめ、屋根土１９の広がりを制限することが出来るので、屋根土１９の使用を少なくすることが出来る。
【発明の効果】
【０００９】
以上説明した通り、本発明の屋根の棟用カバーとそれを使用した屋根の棟瓦構造によれば、屋根土１９の使用を少なくすることが出来るので、棟瓦の施工時における屋根土の屋根上への搬入、充填、塗布作業等が簡略化され、棟瓦の施工が容易となる。さらに屋根の棟部の重量を軽くすることが出来るので、屋根の耐震性の向上を図ることも出来る。
【発明を実施するための最良の形態】
【００１０】
本発明では、屋根の棟に沿って葺かれる棟瓦２０の下側の屋根の棟部を覆う屋根の棟用カバーを使用し、屋根の棟用カバーの棟カバー５により屋根土１９を閉じこめてその広がりを制限し、この屋根の棟部用カバーの上にかんむり瓦２０を葺くことにより、その目的を達成するものである。
以下、本発明を実施するための最良の形態について、実施例をあげて詳細に説明する。
【００１１】
本発明による棟瓦は、桟瓦、かんむり瓦、のし瓦のような瓦類以外に、屋根の棟用カバー、棟梁受部材及び棟梁等が使用される。
図１と図２は、本発明による屋根の棟用カバーの一例を示す。この図１と図２に示した屋根の棟用カバーは、樹脂により一体に成形した長尺な棟カバー５からなり、この棟カバー５は、その両端を除いて断面は均一な形状を有している。その長さは、例えば、在来工法の９１０ｍｍ（半間）モジュールの場合は、その長さを標準とし、これより若干長く作る。さらに予備としてその１／３の３０３ｍｍ（１尺）や２／３の６０６ｍｍ（２尺）より若干長いものを揃えておくとよい。もちろん、メートルモジュールの場合は、１０００ｍｍの長さを基本とし、それより若干長くする。
【００１２】
この棟カバー５の全体は、中央が上側に向けて湾曲した形状を有しており、両側から側板部７、７が一体に垂下している。この棟カバー５の下面から側板部７、７より中央寄りの部分に邪魔板状の屋根土留め８、８が垂下している。この棟カバー５の上面から屋根土止め８、８よりさらに中央寄りの部分にリブ状の縦板が立設している。さらに、棟カバー５の上面中央には、正面Ｖ字形の溝１０が設けられており、その棟カバー５の下面中央よりやや両側に寄った位置にＵ字形の溝２６、２６が設けられている。棟カバー５の両端の中央部には、それぞれコ字形に切欠かれ、凹部１２、１３となっている。一方の端部の凹部１３は、他方の端部の凹部１２より深くなっている。
【００１３】
図３は、棟梁受部材１の一例を示す。この棟梁受部材１は、例えば特開２００６−２１９９２８号公報に記載されたようなものが用いられる。すなわち、この棟梁受部材１は、屋根の棟に沿って積み上げる棟瓦を支持するため、屋根の棟に沿って棟瓦梁を支持する金具である。屋根の棟の位置に固定される下部材１と、この下部材１の上に着脱自在に固定され、棟瓦梁を支持する上部材２とかならなる。下部材１は屋根の棟部分の両側に跨って野地板に固定される脚部３を有し、この脚部３から立設された柱状の支柱部２２を有する。上部材２は棟瓦梁を支持する梁受部４と、この梁受部４から垂下され、前記下部材１の支柱部２２に着脱自在に嵌め込まれる支柱部２３とを有する。これらの下部材１と上部材２との支柱部２２、２３には、それぞれ上下に一定の間隔で５段程のスリット２４とそれに嵌り込む鉤状の突起２５が設けられ、それらを嵌め込む位置を選択することで、下部材１の脚部３に対する上部材２の梁受部４の高さが５段階ほどに調整出来るようになっている。
【００１４】
図４は、前記の棟カバー５と棟梁受部材１を使用して施工される棟瓦の一例を示す。
図４に示すように、一般的な木造建築の屋根の棟部では、いわゆる「棟木」と呼ばれる棟梁１４が、いわゆる「つか」と呼ばれる図示してない小屋柱に支持された状態で架設されており、棟梁１４と、その両側に架設された、いわゆる「母屋」と呼ばれる図示してない小屋梁との間に、いわゆる「たるき」と呼ばれる下り勾配を有する屋根梁１５が、図４において紙面前後方向に所定の間隔で列んで架設されている。この屋根梁１５の上には、板材からなる野地１６が張られる。
【００１５】
図４に示すように、まず屋根の野地１６の頂部である棟に沿って、前記棟梁支持部材１を設置する。この設置に際しては、棟梁支持部材１の中央を野地１６の頂きである棟に位置合わせし、脚部２をその両側の野地１６とその下の屋根梁１５の上に載せ、野地１６を通して屋根梁１５に釘を打ち込み、固定する。このようにして、棟梁支持部材１を棟に沿ってその長手方向に継ぎ合わせながら屋根の野地１６及び屋根梁１５に固定する。
【００１６】
次に、屋根の野地１６に、いわゆるルーフィングシートと呼ばれる図示してない防水シートを張る。この防水シートは、例えばアスファルト系材料等から作られたシートで、撥水性が高く、水を浸透させないものである。防水シートは、屋根の野地１６の全面にわたって敷く。
【００１７】
次に、野地１６の上に瓦桟１８を取り付ける。瓦桟１８は、断面矩形または正方形の木材が多く使用され、屋根の棟と平行に、且つ屋根の傾斜に沿って所定の間隔で取り付けられる。この瓦桟１８は、野地１６を通して屋根梁１５に釘等を打ち込んで固定する。図４には、最も上の瓦桟１８を示している。
【００１８】
次に、屋根の野地１６の上に桟瓦１７を葺く。桟瓦１７は、軒先、妻、下り棟等の変化のある部分には、軒先桟瓦、一文字桟瓦、けらば桟瓦等の特殊な形状の桟瓦が使用されるが、洋風屋根の平坦な勾配部分には、主として平のし瓦やスペイン丸瓦等の桟瓦が使用される。桟瓦１７は、屋根の勾配に沿ってその上側に当たる尻部の下面から突設した突起を瓦桟１８に引っかけながら、屋根の軒先側から屋根の勾配に沿って棟側へ、つまり下から上側へと順次重ね葺きされる。このために、前記瓦桟１８は、この桟瓦１７を葺く間隔毎に、屋根の勾配に沿って所定の間隔で平行に取り付けられる。図４では、棟に最も近い最上部の瓦桟１８と、それに引掛けて取り付けられた桟瓦１７の一部を示す。
【００１９】
次に、屋根棟の両側に葺いた桟瓦１７、１７の間に屋根土１９を充填し、その外側に盛り上げる。一般に屋根土１９は、粘土に比べて水分を多く含み、且つ粘着性がやや低い水分が少なめな泥状の土が使用される。これに必要に応じて山砂、川砂等の骨材と藁等の繊維物を添加し、混練し、適度な流動性に調整したものを使用する。
【００２０】
次に、この屋根土１９を覆うように、前記の棟カバー５を屋根棟に沿って設置していく。このとき、棟カバー５の上面中央のＶ字形の溝１０とその両側の下面のＵ字形の溝２６、２６とが棟カバー５の両側の傾きを許容することで、棟カバー５の両側の側板部７、７が棟の両側の瓦桟１８に確実に当たる。すなわち、異なる屋根勾配に対応することが出来る。
【００２１】
この棟カバー５は、前記棟梁支持部材１の間に設置し、棟梁支持部材１を棟カバー５の両端の凹部１２、１３から起立させる。棟カバー５の端部は、隣接する他の棟カバー５の端部に一部重ね合わせ、隙間が出来ないようにする。このとき、前述したように、棟カバー５の一方の端部の凹部１３が他方の端部の凹部１２より深くなっているため、屋根棟に沿って一定の間隔で立てられる前記棟梁支持部材１の間隔に多少の誤差があってもそれを調整することが出来る。また、屋根土１９を棟カバー５の屋根土留め８、８の間に閉じこめ、その広がりを防止する。
【００２２】
その後、前記棟梁支持部材１の梁受部４に棟梁２１を嵌め込み、釘等により固定して屋根の棟の上に所定の高さで梁を掛ける。
次に、この棟梁２１、前記棟カバー５及び棟の両側の桟瓦１７、１７の上に棟瓦を葺く。棟瓦は少なくともかんむり瓦２０からなる。和風家屋ではかんむり瓦２０の下に１段以上ののし瓦を葺くことも多が、都市部の半洋風の家屋では図４の例のように、のし瓦を使用せずに、かんむり瓦２０のみで棟瓦を葺くことが多い。
【００２３】
棟梁２１、前記棟カバー５及び桟瓦１７、１７の上にかんむり瓦２０を載せ、図４に示すように、その筒部の中央頂部を棟梁２１の中央部に位置合わせする。このかんむり瓦２０は、その両端の継手部を隣接する他のかんむり瓦２０の端部に挿入して継ぎ合わせながら葺いていく。かんむり瓦２０の上端に設けた釘孔から棟梁２１に釘を打ち込んで固定する。
【００２４】
このような棟瓦では、前記の棟カバー５の屋根土留め８、８の間に屋根土１９が閉じこめられ、この屋根土１９によって屋根の棟の部分が閉じられると共に、棟カバー５も固定される。そしてこの棟カバー５の上にかんむり瓦２０等の棟瓦が載せられるため、従来の棟瓦の施工法に比べて屋根土１９の使用量を大幅に減じることが出来る。しかも、屋根土１９が棟カバー５により覆われるため、震災等で屋根土１９が崩れることも無く、耐震性の高い棟瓦を構築することが出来る。
【００２５】
図５と図６は、棟カバー５の他の例を示す図である。この棟カバー５は、棟カバー５全体の片側半分５ａ、５ａのみを成形して作り、その端部に断面横Ｕ字形の継手１１を長手方向に沿って設けたものである。片側半分５ａ、５ａの断面形状もその長手方向にわたって均一である。この片側半分５ａ、５ａを２つ用い、その一方を前後反転して継手１１、１１を互いに向かい合わせると図５（Ａ）のようになる。図５（Ｂ）はその継手１１、１１の部分の拡大図である。この状態で継手１１、１１を互いに嵌め込み、その継手で片側半分５ａ、５ａを連結すると、図６（Ａ）のように図１と図２に前述した棟カバー５と同様のものが出来上がる。図６（Ｂ）はその継手１１、１１の部分の拡大図である。
【００２６】
但し、この棟カバー５では、片側半分５ａ、５ａを連結しているその継手１１の部分が図１と図２に前述した棟カバー５のＶ字形の溝１０の代わりとなり、両側の部分の傾きを許容する。それ以外は全て図１と図２に前述した棟カバー５と同様であり、これを使用した棟瓦構造も図４に示したものと同様である。同じ部分は同じ符合で示してあり、詳細な説明は重複するので省略する。
【００２７】
図７と図８は、棟カバー５のさらに他の例を示す図である。この棟カバー５は、全体の幅が狭くなっており、しかも側板部７、７が屋根土留め８、８を兼ねている。すなわち、側板部７、７の他に別途屋根土留めを設けておらず、側板部７、７が屋根土をの間に屋根土１９を閉じ込めてものである。
【００２８】
図９は、この棟カバー５を使用して棟瓦を施工した例を示している。ここでは棟カバー５の幅が狭く、その側板部７、７の他に別途屋根土留めを設けておらず、側板部７、７が屋根土をの間に屋根土１９を閉じ込めている。
それ以外は全て図１と図２に前述した棟カバー５と同様であり、これを使用した棟瓦構造も図４に示したものと同様である。同じ部分は同じ符合で示してあり、詳細な説明は重複するので省略する。
【産業上の利用可能性】
【００２９】
本発明による屋根の棟用カバーとそれを使用した屋根の棟瓦構造では、棟瓦の施工において、屋根土の使用量を減らし、屋根の棟部分の軽量化を図りながら、耐震性の高い棟瓦を施工することが出来るので、棟瓦の施工という分野において、施工の簡略化、震災等に強い棟瓦を施工出来るという産業上の利用可能性を有している。
【図面の簡単な説明】
【００３０】
【図１】本発明による屋根の棟用カバーの一例を示す中間を断面して省略した斜視図である。
【図２】本発明による屋根の棟用カバーの前記一例を示す正面図である。
【図３】本発明による屋根の棟瓦を施工するときに使用する棟梁支持部材を示す斜視図である。
【図４】本発明による前記の屋根の棟用カバーを使用して施工した屋根の棟瓦構造を示す縦断正面図である。
【図５】本発明による屋根の棟用カバーの他の例を示す左右の部分を分離した状態の正面図（Ａ）とその継手部分の拡大図（Ｂ）である。
【図６】本発明による屋根の棟用カバーの前記他の例を示す左右の部分を結合した状態の正面図（Ａ）とその継手部分の拡大図（Ｂ）である。
【図７】本発明による屋根の棟用カバーのさらに他の例を示す中間を断面して省略した斜視図である。
【図８】本発明による屋根の棟用カバーの前記他の例を示す正面図である。
【図９】本発明による前記の屋根の棟用カバーを使用して施工した屋根の棟瓦構造を示す縦断正面図である。
【符号の説明】
【００３１】
５    棟カバー
７    棟カバーの側板部
８    屋根土留め
１７  桟瓦
１９  屋根土
２０  棟瓦を構成するかんむり瓦
【図１】
2008285866.tif 000003
【図２】
2008285866.tif 000004
【図３】
2008285866.tif 000005
【図４】
2008285866.tif 000006
【図５】
2008285866.tif 000007
【図６】
2008285866.tif 000008
【図７】
2008285866.tif 000009
【図８】
2008285866.tif 000010
【図９】
2008285866.tif 000011